(57)【要約】【課題】袖部位と衣服とを連結・分離可能として、乳児が手を動かして顔を傷つけてしまう危険を防止するベビー服。【解決手段】服主体部１０を具え、服主体部の最上面には襟口部１１を具え、襟口部には第一通し口１１１を具える。服主体部の最上縁に近い両側にはそれぞれ袖部１２を具え、各袖部には各々第二通し口を１２１具える。服主体部と二つの袖部の間にはそれぞれファスナー２０を設けて、該衣服を着用した乳児がファスナーを閉じた状態で手を顔に引っ掻くことを防止する。【選択図】図１
0003148972.tif 000002
【実用新案登録請求の範囲】
【請求項１】
服主体部を具え、該服主体部の最上面には襟口部を具え、該襟口部には第一通し口を具え、また該服主体部の最上縁に近い両側にはそれぞれ袖部を具え、各袖部にはそれぞれ第二通し口を具えるベビー服の構造において、
該服主体部と該二袖部との間にそれぞれファスナーを設けて、該ファスナーにより該服主体部と該二袖部とを結合、分離可能としたことを特徴とするベビー服の構造。
【請求項２】
前記服主体部は、底縁中央箇所に複数個のスナップを設置し、各スナップによって、該服主体部の底縁に足を通す二つの穿孔を形成することを特徴とする請求項１記載のベビー服の構造。
【請求項３】
前記服主体部は、底縁にそれぞれ２つの二股下部を延長して形成し、該二つの股下部の内側の相対箇所に複数個のスナップを設けたことを特徴とする請求項１記載のベビー服の構造。
【考案の詳細な説明】
【技術分野】
【０００１】
本考案は、ベビー服の構造に関するもので、特に袖部位が衣服と連結もしくは分離するベビー服に係わる。
【背景技術】
【０００２】
図６に示すとおり、公知のベビー服の構造は、服主体部３０を具え、該服主体部３０の最上部には襟口部３１が成形され、且つ該服主体部３０の最上縁両側にはそれぞれ袖部３２を具えて、乳児に着せる。
【特許文献１】特開２００２−３８３２１号公報
【特許文献２】特表昭６２−５０３１７８公報
【考案の開示】
【考案が解決しようとする課題】
【０００３】
解決しようとする問題点は、該当ベビー服は乳児に着せるものであるが、乳児は常に手を動かしており、手で顔を傷つけてしまう危険性がある点である。
【０００４】
本考案者は、現在の公知構造を改善するため、長年に亘る関連製品の生産に係わってきた経験を生かし、現在の関連問題について研究を重ねた結果、終にこれらの問題を解決した新しいベビー服の構造を考案した。
【課題を解決するための手段】
【０００５】
本考案は、服主体部を具え、服主体部の最上面には襟口部を具え、襟口部には第一通し口を具える。また服主体部の最上縁に近い両側にはそれぞれ袖部を具え、各袖部には各々第二通し口を具える。そのうち，服主体部と二袖部の間にはそれぞれファスナーを設置し、ファスナーを閉じたり開いたりすることによって、二つの袖部を各々服主体部に連結もしくは分離することを最も主要な特徴とする。
【考案の効果】
【０００６】
本考案のベビー服の構造は、袖部位が衣服と連結もしくは分離することによって、乳児が手を動かして顔を傷つけてしまう危険を防止するという利点がある。
【考案を実施するための最良の形態】
【０００７】
乳児の手で顔を引っかいて傷つけてしまう問題を有効に防止するベビー服の構造を提供することを本考案の主な目的とする。
【０００８】
上述の目的を達成するため、本考案はベビー服の構造を提供する。それは服主体部を具え、該服主体部の最上面には襟口部を具え、該襟口部には第一通し口を具える。該服主体部の最上縁に近い両側にはそれぞれ袖部を具え、各袖部にはそれぞれ第二通し口を具える。その特徴として、
【０００９】
該服主体部と該二つの袖部の間には、それぞれファスナーを設置し、該ファスナーを閉じたり開いたりすることによって該二つの袖部をそれぞれ該服主体部に連結もしくは分離する。
【００１０】
そのうち，該服主体部の底縁の中央箇所には複数のスナップを設置し、各スナップを止めることによって該服主体部の底縁に二つの穿孔を形成する。
【００１１】
また、該服主体部の底縁にはそれぞれ二つの股下部を延長し、該二つの股下部の内側の相対箇所には複数のスナップを設置する。
【００１２】
以下本考案の実施例を図式と共に挙げて、より詳しく説明し、本考案の関連する技術に習熟した者が本考案の説明によって実施できるようにする。
（実施例）
【００１３】
先ず、図１から図５に示すとおり、本考案は、一種のベビー服の構造で、服主体部１０を具え、該服主体部１０の最上面には襟口部１１を具える。該襟口部１１は第一通し口１１１を具え、また該服主体部１０の最上縁に近い両側にそれぞれ袖部１２を具え、各袖部１２には各々第二通し口１２１を具えて、乳児に着せる。
【００１４】
特に注目するのは、該服主体部１０と該二袖部１２の間に、それぞれファスナー２０を設置し、該ファスナー２０を閉じたり開いたりすることによって該二つの袖部１２をそれぞれ該服主体部１０に連結もしくは分離（図１から図４参照）する。
【００１５】
そのうち，該服主体部１０の底縁の中央箇所には複数個のスナップ１３を設ける。また各スナップ１３を止めることによって、該服主体部１０の底縁に二つの穿孔１４を形成し、乳児の脚部に穿かせる（図１から図３参照）。
【００１６】
また、該服主体部１０の底縁にはそれぞれ二つの股下部１５を延長して形成し、該二つの股下部１５の内側の相対箇所には複数個のスナップ１６（図５参照）を設ける。
【００１７】
以上の構造を構成することによって、図１から図５に示すとおり、乳児に本考案を着せた時（図３参照）、本考案の服主体部１０と二つの袖部１２の間に設置されたファスナー２０を閉じたり開いたりすることによって二袖部１２をそれぞれ服主体部１０に連結もしくは分離（例として図１から図３参照）する。このようにしてファスナー２０を開いた時には、乳児の手は自由に動かすことができ、またファスナー２０を閉じた時には乳児の手は自由に動かすことができないため、乳児の手が顔を傷つけてしまう問題を有効に防止することができる。全体の操作は簡単で安全性、且つ実用性を具える。
【００１８】
上述に示すとおり、本考案ベビー服の構造は公知の構造に於ける問題を有効に改善し、且つ本考案の主要技術手段は如何なる刊行物にも未見であるため、実用新案の請求要件に符合する。
【図面の簡単な説明】
【００１９】
【図１】本考案の立体外観指示図である。
【図２】本考案のファスナーを開いた外観指示図である。
【図３】本考案の実施例で乳児が着用した外観指示図である。
【図４】本考案の別の一実施例の外観指示図である。
【図５】本考案の更に別の一実施例の外観指示図である。
【図６】公知の乳児がベビー服を着用した外観指示図である。
【符号の説明】
【００２０】
（本考案）
１０        服主体部
１１        襟口部
１１１        第一通し口
１２        袖部
１２１        第二通し口
１３        スナップ
１４        穿孔
１５        股下部
１６        スナップ
２０        ファスナー
（公知）
３０        服主体部
３１        襟口部
３２        袖部
【図１】
0003148972.tif 000003
【図２】
0003148972.tif 000004
【図３】
0003148972.tif 000005
【図４】
0003148972.tif 000006
【図５】
0003148972.tif 000007
【図６】
0003148972.tif 000008